(57)【要約】【課題】  襠を設けて、着用時に十分な余裕がある筒状編地およびその編成方法を提供する。【解決手段】  手袋１で、隣接する薬指袋２と中指袋３間などの指袋間、および人差指袋４と二本胴７間などの指袋と胴４との間の指股部分には、襠１３，１４，１５，１６がそれぞれ設けられる。襠１３，１４，１５，１６は、複数のコースに渡って、指袋や胴の編目が重複する範囲に形成されている。このように指股部分に形成した襠１３，１４，１５，１６は、引返し編みなどを行っておらず、減らし処理で襠形成を行っている。指股部分に襠１３，１４，１５，１６を設ける手袋１では、指袋や胴などの部分的な筒状編地間に、十分な余裕があって、手にフィットさせることができる。【選択図】図１
2012233279.tif 000002
【特許請求の範囲】
【請求項１】
少なくとも前後一対の針床を備える横編機を使用して無縫製で編成される部分的な筒状編地間の接合部分に減らし処理で設けられる襠を備え、
襠は、隣接する部分的な筒状編地が複数のウエールで重複する状態から、重複が順次解消されるまでの複数のコースにわたって形成されている、
ことを特徴とする筒状編地。
【請求項２】
前記複数の部分的な筒状編地として、複数の指袋、および複数の指袋が接合される胴がそれぞれ編成され、
前記襠は、隣接する指袋または胴の間の指股部分に形成されて、
手袋として編成される、
ことを特徴とする請求項１記載の筒状編地。
【請求項３】
少なくとも前後一対の針床を備える横編機を使用して編成される複数の部分的な筒状編地間に、襠を設けて、無縫製で接合するための筒状編地の編成方法において、
二つの部分的な筒状編地を編成し、各筒状編地の最終コースの編目列を、前後の針床の編針で、それぞれ異なる方向に回し込まれている状態で並ぶように係止するステップ１と、
一方の筒状編地と他方の筒状編地とが隣接する位置、または一部が重複して重ね目を形成する位置となるように、移動を行うステップ２と、
他方の筒状編地を、回し込まれている方向と逆方向に戻しながら、境界部分に他方側で隣接する部分を境界部分に寄せて重ね目を形成し、重ね目を形成している二つの筒状編地の外周に編目を形成することを、他方の筒状編地について回し込まれている状態が解消されるまで繰返すステップ３とを、
含むことを特徴とする筒状編地の編成方法。
【請求項４】
前記二つの筒状編地を接合して形成した筒状編地に対して、さらに別の部分的な筒状編地を接合する際には、
前記ステップ１として、接合して形成した筒状編地の他方側で別の筒状編地を編成し、別の筒状編地のみ、前記他方の筒状編地と同方向に回し込み、
前記ステップ２として、別の筒状編地と接合して形成した筒状編地とが隣接する位置、または一部が重複して重ね目を形成する位置となるように、移動を行い、
前記ステップ３として、接合して形成した筒状編地を、形成する際に前記他方側の筒状編地が回し込まれている方向と逆方向に戻しながら、境界部分に一方側で隣接する部分を境界部分に寄せて重ね目を形成し、重ね目を形成している二つの筒状編地の外周に編目を形成することを、接合して形成した筒状編地について回し込まれている状態が解消されるまで繰返す、
ことを特徴とする請求項３記載の筒状編地の編成方法。
【発明の詳細な説明】
【技術分野】
【０００１】
本発明は、横編機で襠を有するように編成される筒状編地およびその編成方法に関する。
【背景技術】
【０００２】
従来から、前後に針床を備える横編機では、編糸を筒状に編成することで手袋などが編成されている。手袋では、各指を挿入する指袋を個別に編成し、親指を除く複数本の指袋を接合して三本胴や四本胴を編成し、四本胴と親指の指袋を接合して五本胴を編成し、手首まで、複数の部分的な筒状編地から全体として一つの筒状編地を形成している（たとえば、特許文献１参照）。また、手などにフィットさせるために、特許文献１では、指股の部分に、伏目と引返し編みによる襠を形成している。
【先行技術文献】
【特許文献】
【０００３】
【特許文献１】特開２００８−１１５４７５号公報
【発明の概要】
【発明が解決しようとする課題】
【０００４】
特許文献１のように、引返し編みによる襠を形成すると、伏目による襠のみの場合よりも、筒状編地間に余裕が生れ、手などの立体的な形状にフィットさせることができる。
【０００５】
本発明の目的は、特許文献１とは異なった方法により、襠を設けても、着用時に十分な余裕がある筒状編地およびその編成方法を提供することである。
【課題を解決するための手段】
【０００６】
本発明は、少なくとも前後一対の針床を備える横編機を使用して無縫製で編成される部分的な筒状編地間の接合部分に減らし処理で設けられる襠を備え、
襠は、隣接する部分的な筒状編地が複数のウエールで重複する状態から、重複が順次解消されるまでの複数のコースにわたって形成されている、
ことを特徴とする筒状編地である。
【０００７】
また本発明では、前記複数の部分的な筒状編地として、複数の指袋、および複数の指袋が接合される胴がそれぞれ編成され、
前記襠は、隣接する指袋または胴の間の指股部分に形成されて、
手袋として編成される、
ことを特徴とする。
【０００８】
さらに本発明は、少なくとも前後一対の針床を備える横編機を使用して編成される複数の部分的な筒状編地間に、襠を設けて、無縫製で接合するための筒状編地の編成方法において、
二つの部分的な筒状編地を編成し、各筒状編地の最終コースの編目列を、前後の針床の編針で、それぞれ異なる方向に回し込まれている状態で並ぶように係止するステップ１と、
一方の筒状編地と他方の筒状編地とが隣接する位置、または一部が重複して重ね目を形成する位置となるように、移動を行うステップ２と、
他方の筒状編地を、回し込まれている方向と逆方向に戻しながら、境界部分に他方側で隣接する部分を境界部分に寄せて重ね目を形成し、重ね目を形成している二つの筒状編地の外周に編目を形成することを、他方の筒状編地について回し込まれている状態が解消されるまで繰返すステップ３とを、
含むことを特徴とする筒状編地の編成方法である。
【０００９】
また本発明で、前記二つの筒状編地を接合して形成した筒状編地に対して、さらに別の部分的な筒状編地を接合する際には、
前記ステップ１として、接合して形成した筒状編地の他方側で別の筒状編地を編成し、別の筒状編地のみ、前記他方の筒状編地と同方向に回し込み、
前記ステップ２として、別の筒状編地と接合して形成した筒状編地とが隣接する位置、または一部が重複して重ね目を形成する位置となるように、移動を行い、
前記ステップ３として、接合して形成した筒状編地を、形成する際に前記他方側の筒状編地が回し込まれている方向と逆方向に戻しながら、境界部分に一方側で隣接する部分を境界部分に寄せて重ね目を形成し、重ね目を形成している二つの筒状編地の外周に編目を形成することを、接合して形成した筒状編地について回し込まれている状態が解消されるまで繰返す、
ことを特徴とする。
【発明の効果】
【００１０】
本発明によれば、隣接する部分的な筒状編地間には、筒状編地が複数のウエールで重複する状態から、重複が順次解消されるまでに、減らし処理による襠が形成されている。部分的な筒状編地間では編目が重複し、接合部分の周囲に、十分な余裕を生じさせることができる。
【００１１】
また本発明によれば、指袋や胴などの部分的な筒状編地間に、十分な余裕があって、指股にフィットする襠を有する手袋を得ることができる。
【００１２】
さらに本発明によれば、少なくとも前後一対の針床を備える横編機で、複数の部分的な筒状編地間に、筒状編地が複数のウエールで重複する状態から、重複が順次解消されるように複数コースで移行する襠を設けて、一つの筒状編地を無縫製で形成することができる。回し込んで編目を重複させ、戻しながら編目を重ねて襠を形成するので、複数のコースにわたる襠を、部分的な筒状編地の接合部分の周囲に十分な余裕を持たせることができる。
【００１３】
また本発明によれば、複数の部分的な筒状編地を順次接合するような場合に、ステップ
１で、接合した筒状編地の方は、すでに回し込まれた状態を利用し、新たに回し込みを行わないので、効率よく襠を編成することができる。
【図面の簡単な説明】
【００１４】
【図１】図１は、本発明の一実施例としての手袋１の概略的な構成を、左手用の掌側で簡略化して示す正面図である。
【図２】図２は、図１の手袋１の概略的な構成を、掌側で、薬指袋２、中指袋３および小指袋５の指股部分について、それぞれ拡大して示す図である。
【図３】図３は、図２の襠１３，１４を編成する基本的な手順を示す図である。
【図４】図４は、横編機を使用して、図１の手袋１の薬指袋２、中指袋３、二本同７、および襠１３を編成する手順を示す簡略化した編成図である。
【図５】図５は、横編機を使用して、図１の手袋１の人差指袋４、小指袋５、三本胴８、および襠１４を編成する手順を示す簡略化した編成図である。
【発明を実施するための形態】
【００１５】
以下、図１で本発明の一実施例としての手袋１の概略的な構成を説明する。図２は、手袋１に設ける襠１３，１５に関する部分的な構成を示す。図３では、手袋１に襠１３を設ける基本的な手順を示す。図４および図５では、薬指袋２、中指袋３、人差指袋４間に襠１３，１４を設けながら手袋１を編成する手順を示す。各図の説明では、当該図面には存在せずに先に説明する図には存在する符号を用いて説明したり、先に説明する図に示す部分と対応する部分には同一の参照符を付し、重複する説明を省略したりする場合がある。
【実施例】
【００１６】
図１は、本発明の一実施例としての手袋１の概略的な構成を示し、図２は、（ａ）で襠１３，１５およびその近傍の部分的な構成を示し、（ｂ）で襠１３の部分的な構成を示す。手袋１では、複数の部分的な筒状編地として、複数の指袋が薬指袋２、中指袋３、人差指袋４、小指袋５および親指袋６としてそれぞれ編成される。また、複数の指袋が接合される胴として、薬指袋２と中指袋３とによる二本胴７、人差指袋４と二本胴７とによる三本胴８、小指袋５と三本胴８とによる四本胴９、親指袋６と四本胴９とによる五本胴等幅部１０および五本胴減らし部１１がそれぞれ編成される。手袋１は、左手用であり、手への装着のための挿入口として、口部１２が設けられている。
【００１７】
隣接する薬指袋２と中指袋３との間、人差指袋４と二本胴７との間、小指袋５と三本胴８との間、および親指袋６と四本胴９との間の指股部分には、襠１３，１４，１５，１６がそれぞれ設けられる。図２（ｂ）に示すように、襠１３は、複数のコースに渡って、薬指袋２および中指袋３の編目が重複する範囲に形成されている。図２（ａ）の襠１５も同様に形成することができ、また、他の指袋や胴の間にも、同様な襠１４，１６が設けられる。このように指股部分に形成した襠１３，１４，１５，１６は、引返し編みなどを行っていない。指股部分に襠１３，１４，１５，１６を設ける手袋１では、薬指袋２、中指袋３、人差指袋４、小指袋５、親指袋６や二本胴７、三本胴８、四本胴９などの部分的な筒状編地間に、十分な余裕があって、手にフィットさせることができる。
【００１８】
図３は、図１の手袋１で、少なくとも前後一対の針床を備える横編機を使用して編成される複数の部分的な筒状編地としての薬指袋２および中指袋３間に、襠１３を設けて接合して、一つの筒状編地としての二本胴７を無縫製で形成する基本的な編成方法を示す。ただし、針床や編針などの横編機の構成、および編糸などの図示は省略する。
【００１９】
図３（１）では、二つの部分的な筒状編地として薬指袋２および中指袋３を編成し、各筒状編地の最終コースの編目列を、前後の針床に隣接するように設定する区間の編針で、それぞれ異なる方向２Ｒ，３Ｒに回し込まれている状態で係止するステップ１を示す。薬指袋２および中指袋３は、たとえば前針床では右方、後針床では左方への給糸でそれぞれ編成され、編幅の両端で前後の針床で編成される部分が連結される周回編みで、コース方向の編目列が同一の方向２Ｋ，３Ｋで周回するように形成されている。
【００２０】
図３（２）では、一方の筒状編地、たとえば薬指袋２を、矢符２Ｓで他方の筒状編地となる中指袋３側に寄せるステップ２を示す。指股の部分では、薬指袋２および中指袋３間に重ね目が生じている。重ね目が生じる位置ではなく、隣接する位置まで寄せるようにしてもよい。また、中指袋３を薬指袋２側に寄せてもよい。さらに、薬指袋２および中指袋３の両方を相互に寄せてもよい。いずれにしても、薬指袋２と中指袋３間に重ね目が生じる位置か、隣接する位置まで移動させればよい。
【００２１】
図３（３）では、ステップ３の途中の状態を示す。ステップ３では、他方の筒状編地となる中指袋３を、薬指袋２と隣接または重なる境界部分を除いて、回し込まれている方向３Ｒの逆方向７Ｗに戻しながら、境界部分に他方側で隣接する部分を境界部分に寄せて重ね目を形成する。次に、重ね目を形成している薬指袋２および中指袋３の外周となる二本胴７を方向７Ｋの周回編みで編成する。重ね目の形成と二本胴７の編成とを、中指袋３について回し込まれている状態が解消されるまで繰返す減らし処理を行うと襠１３が形成される。
【００２２】
図４および図５は、横編機で手袋１を編成する手順の一例を示す。針床や編針の図示は省略する。また、横編機は、歯口を挟んで対向する前後の針床間での目移しや、前後の針床が相対的に編幅方向にずれるラッキングが可能であり、前針床が掌側、後針床が甲側を編成することを前提とする。さらに、四枚ベッドの横編機を使用するか、前後一対の針床のみの二枚ベッドの場合は針抜き編成などを行い、前後の針床で編地を係止している状態でも、目移しが可能であるようにしておく。
【００２３】
図４のＳ０では、薬指袋２および中指袋３を周回編みでそれぞれ編成した状態を示す。薬指袋２および中指袋３は、前針床および後針床にそれぞれ付属する前側編地２Ｆ，３Ｆおよび後側編地２Ｂ，３Ｂが、編幅の両端となる前後の境界２Ｘ，２Ｙ；３Ｘ，３Ｙでそれぞれ連結されている。Ｓ１では、薬指袋２および中指袋３がそれぞれ異なる方向２Ｒ，３Ｒに、たとえば３目分ずつ回し込まれる。回し込みは、針床のラッキングおよび端部編目の目移しの繰返しで行う。好ましくは、目移しを行う編目を捻れ目としておけばよい。捻れ目としておけば、回し込み後の編目は捻れない。なお、薬指袋２と中指袋３とを形成したら、順次回し込みも行うようにしてもよい。Ｓ０およびＳ１は、図３のステップ１に相当する。
【００２４】
Ｓ２では、矢符２Ｓに示すように、薬指袋２を右に寄せて、たとえば３目分の股重ねを行う。薬指袋２と中指袋３との境界部分では、前後の針床に３目分ずつの重ね目１３Ｆ，１３Ｂが生じる。なお、重ね目は、必ずしも３目でなくてもよく、股重ねを行わずに隣接させるだけでもよい。
【００２５】
Ｓ３では、二本胴７を周回編みで編成し、前針床で係止している編目の右端を後針床で係止している編目の右隣に目移しで移動させる。Ｓ２で形成される重ね目１３Ｆ，１３Ｂには、それぞれ新たな編目が続いて形成され、重ね目１３Ｆ，１３Ｂはノックオーバされる。Ｓ４では、後針床で係止している二本胴７の編目で、元の中指袋３にウエール方向で続く部分を、左に２目分だけ寄せ、元の薬指袋２との境界部分に、２目の重ね目１３Ｃを形成する。Ｓ５では、二本胴７を周回編みで編成し、形成した重ね目１３Ｃをノックオーバし、右端の編目の前後方向の移動を行う。重ね目１３Ｃの形成で薬指袋２および中指袋３のコース方向の編目が減らされ、襠１３が形成される。以下、Ｓ４，Ｓ５と同様な手順を繰返す。図２（ｂ）の図面中央近傍から右上方向に伸びる襠１３は、右上が開始側となり、開始側の端部が複数のウエールで重複する状態から、薬指袋２と中指袋３の重複が順次解消されるまでの複数のコースにわたり傾斜するように形成される。編目の形成（増加）が指股に十分な余裕を生み、または減らしによる襠が形成した編目幅の差による傾斜は指股にフィットする。Ｓ６では、境界３Ｙが前後の針床間の位置に戻るので、襠１３の形成を終了する。
【００２６】
図５のＳ６は、図４のＳ６を、説明の便宜上異なる位置で示すけれども、移動などは行われず、針床への係止状態は同一である。Ｓ７では、人差指袋４を周回編みで編成し、中指袋３の回し込みの方向３Ｒと同一の方向４Ｒに回し込んでおく。この場合は、二つの部分的な筒状編地である薬指袋２および中指袋３を一つにまとめて形成した筒状編地としての二本胴７に対して、さらに別の部分的な筒状編地としての人差指袋４を接合する。二本胴７では、左方の薬指袋２を右方に寄せ、右方の中指袋３で重ね目による目減らしをしながら襠１３を形成しているので、左方の薬指袋２側は、方向２Ｒに回し込まれた状態を残している。このように、複数の部分的な筒状編地を順次接合するような場合のステップ１では、接合した筒状編地の方は、すでに回し込まれた状態を利用し、新たに回し込みを行わないので、効率よく襠を編成することができる。
【００２７】
Ｓ８では、ステップ２として、人差指袋４を、二本胴７側に寄せ、重複して重ね目１４Ｆ，１４Ｂを形成する。Ｓ９では、三本胴８の編地コースを、人差指袋４の範囲を含むように編成し、重ね目１４Ｆ，１４Ｂをノックオーバさせ、左端の編目の後針床への移動を行う。Ｓ１０では、後針床で係止している三本胴８の編目の内、重ね目１４Ｂよりも左側の編目を、右に２目分だけ寄せ、元の人差指袋４との境界部分に、２目の重ね目１４Ｃを形成する。形成した重ね目１４Ｃは、Ｓ１０で三本胴８を周回編みで編成してノックオーバし、左端の編目の後針床への移動を行う。以下、Ｓ９，Ｓ１０と同様な手順を２回繰返すと、Ｓ１１に示すように境界２Ｘが前後の針床間の位置に戻るので、ステップ３として、襠１４の形成を終了する。なお、Ｓ１１は、説明の便宜上、三本胴８の位置を右に移動した位置に示すけれども、実際には移動していない。
【００２８】
図５のＳ１２では、三本胴８の左側に、小指袋５を周回編みで編成し、方向５Ｒに回し込む。三本胴８では、人差指袋４にウエール方向で続く部分が方向５Ｒとは逆の方向４Ｒに回し込まれている状態なので、新たな回し込みは行わない。以下、ステップ２およびステップ３に相当する手順で、小指袋５を三本胴８に接合し、四本胴９を編成することができる。なお、Ｓ１１の状態で三本胴８を複数コース編成すれば、四本胴９との間に段差を設けることができる。
【００２９】
以上の説明は、左手用の手袋１に対して行っているけれども、本発明は、右手用にも同様に適用することができる。このような、少なくとも前後一対の針床を備える横編機を使用して無縫製で編成される複数の部分的な筒状編地と、部分的な筒状編地間に襠が設けられて接合される筒状編地とを備える筒状編地は、手袋１ばかりではなく、指袋付の靴下や、衣服の脇部分などにも同様に用いることができる。襠は、部分的な筒状編地間で、編目がコース方向で重複する状態から、重ね目の形成で重複する編目数が順次減少し、重複する編目が無くなって一つの筒状編地となるまでの複数のコースにわたって形成されればよい。手袋１では、股重ね後、後針床で編成する片側に襠５，７を形成しているけれども、前針床でも編成して、両側に襠を形成することもできる。両側に襠を形成すれば、パンツなどの両脚の筒状編地間に襠を形成することができる。
【符号の説明】
【００３０】
１  手袋
２  薬指袋
３  中指袋
４  人差指袋
５  小指袋
６  親指袋
７  二本胴
８  三本胴
９  四本胴
１３，１４，１５，１６  襠
【図１】
2012233279.tif 000003
【図３】
2012233279.tif 000004
【図４】
2012233279.tif 000005
【図５】
2012233279.tif 000006
【図２】
2012233279.tif 000007